【手続補正書】
【提出日】平成18年10月27日(2006.10.27)
【手続補正１】
【補正対象書類名】特許請求の範囲
【補正対象項目名】全文
【補正方法】変更
【補正の内容】
【特許請求の範囲】
【請求項１】
放送データに基づく放送番組を表示可能であるとともに前記放送データの受信状況を監視し、受信状況の判定を行う監視部を備えた子機と通信可能であり、放送波を受信して前記子機に前記放送データを送信することが可能な放送受信装置であって、
前記子機から送信されるステータス情報を受信する受信手段と、
前記放送データに基づく放送番組を表示する表示手段と、
前記受信手段で受信した前記ステータス情報が、前記子機において前記放送データの受信状況が正常では無い旨を示す情報である場合、前記表示手段に前記子機に送信していた放送データに係る放送番組を表示するように制御する制御手段と、を有することを特徴とする放送受信装置。
【請求項２】
前記制御手段は、前記受信手段で受信した前記ステータス情報が、前記子機において前記放送データの受信状況が正常では無い旨を示す情報である場合、前記子機に送信していた放送データの送信を停止することを特徴とする請求項１に記載の放送受信装置。
【請求項３】
放送データに基づく放送番組を表示可能であるとともに動作用のバッテリ容量を監視し、バッテリ容量の判定を行う監視部を備えた子機と通信可能であり、放送波を受信して前記子機に前記放送データを送信することが可能な放送受信装置であって、
前記子機から送信されるステータス情報を受信する受信手段と、
前記放送データに基づく放送番組を表示する表示手段と、
前記受信手段で受信した前記ステータス情報が、前記子機において前記バッテリ容量がしきい値より少ないことを示す情報である場合、前記表示手段に前記子機に送信していた放送データに係る放送番組を表示するように制御する制御手段と、を有することを特徴とする放送受信装置。
【請求項４】
前記制御手段は、前記受信手段で受信した前記ステータス情報が、前記子機において前記バッテリ容量がしきい値より少ないことを示す情報である場合、前記子機に送信していた放送データの送信を停止することを特徴とする請求項３に記載の放送受信装置。
【請求項５】
放送データに基づく放送番組を表示可能であるとともに前記放送データの受信状況を監視し、受信状況の判定を行う監視部を備えた子機と通信可能であり、放送波を受信して前記子機に前記放送データを送信することが可能な放送受信装置であって、
前記子機から送信されるステータス情報を受信する受信手段と、
前記放送データに基づく放送番組を記録部に記録する記録手段と、
前記受信手段で受信した前記ステータス情報が、前記子機において前記放送データの受信状況が正常では無い旨を示す情報である場合、前記記録部に前記子機に送信していた放送データに係る放送番組を記録する制御を行う制御手段と、を有することを特徴とする放送受信装置。
【請求項６】
前記制御手段は、前記放送番組を前記記録部に記録した後に、前記受信手段で受信した前記ステータス情報が前記放送データの受信状況が正常である旨を示す情報に変更された場合、前記記録部に記録していた前記放送番組を前記子機で再生表示可能である旨を前記子機に通知することを特徴とする請求項５に記載の放送受信装置。
【請求項７】
放送データに基づく放送番組を表示可能であるとともに動作用のバッテリ容量を監視し、バッテリ容量の判定を行う監視部を備えた子機と通信可能であり、放送波を受信して前記子機に前記放送データを送信することが可能な放送受信装置であって、
前記子機から送信されるステータス情報を受信する受信手段と、
前記放送データに基づく放送番組を記録部に記録する記録手段と、
前記受信手段で受信した前記ステータス情報が、前記子機において前記バッテリ容量がしきい値より少ないことを示す情報である場合、前記記録部に前記子機に送信していた放送データに係る放送番組を記録する制御を行う制御手段と、を有することを特徴とする放送受信装置。
【請求項８】
前記制御手段は、前記放送番組を前記記録部に記録した後に、前記受信手段で受信した前記ステータス情報が前記バッテリ容量がしきい値以上であることを示す情報に変更された場合、前記記録部に記録していた前記放送番組を前記子機で再生表示可能である旨を前記子機に通知することを特徴とする請求項７に記載の放送受信装置。
【請求項９】
放送データに基づく放送番組を表示可能であるとともに前記放送データの受信状況を監視し、受信状況の判定を行う監視部を備えた子機と通信可能であり、放送波を受信して前記子機に前記放送データを送信することが可能な放送受信装置の制御方法であって、
前記子機から送信されるステータス情報を受信する受信ステップと、
前記放送データに基づく放送番組を表示部に表示する表示ステップと、
前記受信ステップで受信した前記ステータス情報が、前記子機において前記放送データの受信状況が正常では無い旨を示す情報である場合、前記子機に送信していた放送データに係る放送番組を前記表示部に表示するように前記表示ステップを制御する制御ステップと、を有することを特徴とする放送受信装置の制御方法。
【請求項１０】
放送データに基づく放送番組を表示可能であるとともに動作用のバッテリ容量を監視し、バッテリ容量の判定を行う監視部を備えた子機と通信可能であり、放送波を受信して前記子機に前記放送データを送信することが可能な放送受信装置の制御方法であって、
前記子機から送信されるステータス情報を受信する受信ステップと、
前記放送データに基づく放送番組を表示部に表示する表示ステップと、
前記受信ステップで受信した前記ステータス情報が、前記子機において前記バッテリ容量がしきい値より少ないことを示す情報である場合、前記子機に送信していた放送データに係る放送番組を前記表示部に表示するように前記表示ステップを制御する制御ステップと、を有することを特徴とする放送受信装置の制御方法。
【請求項１１】
放送データに基づく放送番組を表示可能であるとともに前記放送データの受信状況を監視し、受信状況の判定を行う監視部を備えた子機と通信可能であり、放送波を受信して前記子機に前記放送データを送信することが可能な放送受信装置の制御方法であって、
前記子機から送信されるステータス情報を受信する受信ステップと、
前記放送データに基づく放送番組を記録部に記録する記録ステップと、
前記受信ステップで受信した前記ステータス情報が、前記子機において前記放送データの受信状況が正常では無い旨を示す情報である場合、前記記録部に前記子機に送信していた放送データに係る放送番組を記録する制御を行う制御ステップと、を有することを特徴とする放送受信装置の制御方法。
【請求項１２】
放送データに基づく放送番組を表示可能であるとともに動作用のバッテリ容量を監視し、バッテリ容量の判定を行う監視部を備えた子機と通信可能であり、放送波を受信して前記子機に前記放送データを送信することが可能な放送受信装置の制御方法であって、
前記子機から送信されるステータス情報を受信する受信ステップと、
前記放送データに基づく放送番組を記録部に記録する記録ステップと、
前記受信ステップで受信した前記ステータス情報が、前記子機において前記バッテリ容量がしきい値より少ないことを示す情報である場合、前記記録部に前記子機に送信していた放送データに係る放送番組を記録する制御を行う制御ステップと、を有することを特徴とする放送受信装置の制御方法。
【手続補正２】
【補正対象書類名】明細書
【補正対象項目名】発明の名称
【補正方法】変更
【補正の内容】
【発明の名称】放送受信装置及び放送受信装置の制御方法
【手続補正３】
【補正対象書類名】明細書
【補正対象項目名】０００１
【補正方法】変更
【補正の内容】
【０００１】
本発明は、テレビ放送波を受信する受信部とテレビ放送の映像を表示する表示部とが分離すると共に両者間を無線または有線で接続する形態を有し、受信部に記録装置を備えたテレビ受信機に適用される放送受信装置及び放送受信装置の制御方法に関する。
【手続補正４】
【補正対象書類名】明細書
【補正対象項目名】０００４
【補正方法】変更
【補正の内容】
【０００４】
本発明の目的は、子機の受信状況が悪化した場合にユーザが子機で視聴していた放送番組を親機で自動的に継続視聴することなどを可能とした放送受信装置及び放送受信装置の制御方法を提供することにある。
【手続補正５】
【補正対象書類名】明細書
【補正対象項目名】０００５
【補正方法】変更
【補正の内容】
【０００５】
上述の目的を達成するために、本発明は、放送データに基づく放送番組を表示可能であるとともに前記放送データの受信状況を監視し、受信状況の判定を行う監視部を備えた子機と通信可能であり、放送波を受信して前記子機に前記放送データを送信することが可能な放送受信装置であって、前記子機から送信されるステータス情報を受信する受信手段と、前記放送データに基づく放送番組を表示する表示手段と、前記受信手段で受信した前記ステータス情報が、前記子機において前記放送データの受信状況が正常では無い旨を示す情報である場合、前記表示手段に前記子機に送信していた放送データに係る放送番組を表示するように制御する制御手段と、を有することを特徴とする。
【手続補正６】
【補正対象書類名】明細書
【補正対象項目名】０００６
【補正方法】変更
【補正の内容】
【０００６】
また、本発明は、放送データに基づく放送番組を表示可能であるとともに動作用のバッテリ容量を監視し、バッテリ容量の判定を行う監視部を備えた子機と通信可能であり、放送波を受信して前記子機に前記放送データを送信することが可能な放送受信装置であって、前記子機から送信されるステータス情報を受信する受信手段と、前記放送データに基づく放送番組を表示する表示手段と、前記受信手段で受信した前記ステータス情報が、前記子機において前記バッテリ容量がしきい値より少ないことを示す情報である場合、前記表示手段に前記子機に送信していた放送データに係る放送番組を表示するように制御する制御手段と、を有することを特徴とする。
【手続補正７】
【補正対象書類名】明細書
【補正対象項目名】０００７
【補正方法】変更
【補正の内容】
【０００７】
また、本発明は、放送データに基づく放送番組を表示可能であるとともに前記放送データの受信状況を監視し、受信状況の判定を行う監視部を備えた子機と通信可能であり、放送波を受信して前記子機に前記放送データを送信することが可能な放送受信装置であって、前記子機から送信されるステータス情報を受信する受信手段と、前記放送データに基づく放送番組を記録部に記録する記録手段と、前記受信手段で受信した前記ステータス情報が、前記子機において前記放送データの受信状況が正常では無い旨を示す情報である場合、前記記録部に前記子機に送信していた放送データに係る放送番組を記録する制御を行う制御手段と、を有することを特徴とする。
【手続補正８】
【補正対象書類名】明細書
【補正対象項目名】０００８
【補正方法】変更
【補正の内容】
【０００８】
また、本発明は、放送データに基づく放送番組を表示可能であるとともに動作用のバッテリ容量を監視し、バッテリ容量の判定を行う監視部を備えた子機と通信可能であり、放送波を受信して前記子機に前記放送データを送信することが可能な放送受信装置であって、前記子機から送信されるステータス情報を受信する受信手段と、前記放送データに基づく放送番組を記録部に記録する記録手段と、前記受信手段で受信した前記ステータス情報が、前記子機において前記バッテリ容量がしきい値より少ないことを示す情報である場合、前記記録部に前記子機に送信していた放送データに係る放送番組を記録する制御を行う制御手段と、を有することを特徴とする。
【手続補正９】
【補正対象書類名】明細書
【補正対象項目名】０００９
【補正方法】変更
【補正の内容】
【０００９】
また、本発明は、放送データに基づく放送番組を表示可能であるとともに前記放送データの受信状況を監視し、受信状況の判定を行う監視部を備えた子機と通信可能であり、放送波を受信して前記子機に前記放送データを送信することが可能な放送受信装置の制御方法であって、前記子機から送信されるステータス情報を受信する受信ステップと、前記放送データに基づく放送番組を表示部に表示する表示ステップと、前記受信ステップで受信した前記ステータス情報が、前記子機において前記放送データの受信状況が正常では無い旨を示す情報である場合、前記子機に送信していた放送データに係る放送番組を前記表示部に表示するように前記表示ステップを制御する制御ステップと、を有することを特徴とする。
【手続補正１０】
【補正対象書類名】明細書
【補正対象項目名】００１０
【補正方法】変更
【補正の内容】
【００１０】
また、本発明は、放送データに基づく放送番組を表示可能であるとともに動作用のバッテリ容量を監視し、バッテリ容量の判定を行う監視部を備えた子機と通信可能であり、放送波を受信して前記子機に前記放送データを送信することが可能な放送受信装置の制御方法であって、前記子機から送信されるステータス情報を受信する受信ステップと、前記放送データに基づく放送番組を表示部に表示する表示ステップと、前記受信ステップで受信した前記ステータス情報が、前記子機において前記バッテリ容量がしきい値より少ないことを示す情報である場合、前記子機に送信していた放送データに係る放送番組を前記表示部に表示するように前記表示ステップを制御する制御ステップと、を有することを特徴とする。
【手続補正１１】
【補正対象書類名】明細書
【補正対象項目名】００１１
【補正方法】変更
【補正の内容】
【００１１】
また、本発明は、放送データに基づく放送番組を表示可能であるとともに前記放送データの受信状況を監視し、受信状況の判定を行う監視部を備えた子機と通信可能であり、放送波を受信して前記子機に前記放送データを送信することが可能な放送受信装置の制御方法であって、前記子機から送信されるステータス情報を受信する受信ステップと、前記放送データに基づく放送番組を記録部に記録する記録ステップと、前記受信ステップで受信した前記ステータス情報が、前記子機において前記放送データの受信状況が正常では無い旨を示す情報である場合、前記記録部に前記子機に送信していた放送データに係る放送番組を記録する制御を行う制御ステップと、を有することを特徴とする。
【手続補正１２】
【補正対象書類名】明細書
【補正対象項目名】００１２
【補正方法】変更
【補正の内容】
【００１２】
また、本発明は、放送データに基づく放送番組を表示可能であるとともに動作用のバッテリ容量を監視し、バッテリ容量の判定を行う監視部を備えた子機と通信可能であり、放送波を受信して前記子機に前記放送データを送信することが可能な放送受信装置の制御方法であって、前記子機から送信されるステータス情報を受信する受信ステップと、前記放送データに基づく放送番組を記録部に記録する記録ステップと、前記受信ステップで受信した前記ステータス情報が、前記子機において前記バッテリ容量がしきい値より少ないことを示す情報である場合、前記記録部に前記子機に送信していた放送データに係る放送番組を記録する制御を行う制御ステップと、を有することを特徴とする。
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】